(57)【要約】      （修正有）【課題】一時的に携帯電話等への送信を遮断してこれ等からの音の発生も防止すると共に、携帯電話等への着信は可能にするが人体への電磁波の影響を低減するようにした簡便な電磁波シールド材を用いた衣服，帽子，袋体，板体を提供する。【解決手段】別体の薄肉の電磁波シールド材を一部分や全体に縫着又は貼着してなることを特徴とする電磁波シールド材付衣服又は帽子又は袋体又は板体であって、電磁波シールド材を用いた袋体１００としてはカーボンファイバ１を樹脂材２に封止込めたものからなり携帯電話４等を挿入出来る袋体にしたものからなりポケット等に挿入されて使用される。また、電磁波シールド材を用いた板体はポケット等に挿入されるが携帯電話４はポケット等の前側に挿入されることにより着信可能になる。【選択図】図１
0003189626.tif 000002
【実用新案登録請求の範囲】
【請求項１】
薄肉の電磁波シールド材を縫着又は貼着して形成されることを特徴とする衣服及び帽子。
【請求項２】
薄肉の電磁波シールド材から形成されることを特徴とする袋体及び板体。
【請求項３】
前記電磁波シールド材が、カーボンファイバ，アルミ材，電磁波防止繊維素材からなることを特徴とする請求項１又は２に記載の衣服及び帽子又は袋体及び板体。
【請求項４】
前記電磁波シールド材が樹脂材内に封止されたものからなることを特徴とする請求項１及び３に記載の衣服及び帽子乃至袋体及び板体。
【請求項５】
前記カーボンファイバがスタンバブルシートからなることを特徴とする請求項３又は４に記載の衣服及び帽子又は袋体及び板体。
【請求項６】
前記袋体及び板体が、人間が着用する服やシャツ等のポケットに挿入可能の大きさのものからなることを特徴とする請求項２乃至５に記載の袋体及び板体。
【考案の詳細な説明】
【技術分野】
【０００１】  本考案は、薄肉の電磁波シールド材又はこれを樹脂材内に封止してなる材料を縫着又は貼着又は所望の形に作製してなる衣服又は帽子又は袋体及び板体に関する。
【背景技術】
【０００２】  電磁波シールド材としては各種のものがあるが、例えば、カーボンファイバは電磁波を遮断する機能を有するものとして知られている。カーボンファイバは人体に対しては長期使用において有害な性質を有するものであり、そのままの状態で使用することは危険であり樹脂材等により封止込めることが必要である。然し乍ら、従来ではこの形態のものでも人体に対する用具としては余り普及されていなかったことは事実であり、飛行機，車両，船舶やゴルフ用具や軍関係の器具等に主として使用されていた。
一方、後に記載の本考案の如きものについては先行技術を調査したが見当らず、関連する公知技術としては「特許文献１」や「特許文献２」の如きものが挙げられる。
【先行技術文献】
【特許文献】
【０００３】
【特許文献１】実用新案登録第３１３０７１９号（図１）
【特許文献２】特開２０００−１２６４３４号（図１）
【考案の概要】
【考案が解決しようとする課題】
【０００４】  現在、携帯電話や（公序良俗違反につき、不掲載）等が数多くの人達によって使用されている。これ等の器具からは電磁波が発信されているがこれを有効に遮断する身近な器具は開発及び開示されていない。電磁波が人体等に対して悪影響を及ぼすことは明白なものであり、前記のように人体に対してカーボンファイバは悪影響を与える恐れがあるためにカーボンファイバを用いた電磁波遮断可能な人体等に対応する器具については存在していない。【０００５】  然し乍ら、老人や子供のいる場所や騒音発生を嫌う場所、例えば、病院，介護施設，幼稚園や音楽堂，芝居小屋等の見物場や静粛を必要とする会場等において携帯電話等への着信音は極めて問題がある。そのため、前記の場所では携帯電話等の電源を遮断することが求められているが実行者が少ない場合も多い。そこでこれ等の場所において一時的に携帯電話等への着信音を遮断する器具が必要であると共に長期間の使用ではなく、一時的に電磁波による人体への影響を低減し、かつ着信を可能とするような器具があれば望ましいものと思考される。
また、携帯電話等からの着音による騒音被害を別としても前記のようにこれ等からの電磁波の発信を人体側に対して遮断する手段は少なくとも人体の健康保護のために必要であるが適切のものは存在していない。【０００６】  本考案は、前記の事情に鑑みて考案されたものであり、一時的に携帯電話等への送信を遮断してこれ等からの音の発生も防止すると共に、携帯電話等への着信は可能にするが人体への電磁波の影響を低減するようにした簡便な電磁波シールド材を用いた衣服，帽子，袋体，板体を提供することを目的とする。
【課題を解決するための手段】
【０００７】  本考案は、以上の目的を達成するために、請求項１の考案は、薄肉の電磁波シールド材を縫着又は貼着して形成されることを特徴とする。【０００８】  また、請求項２の考案は、薄肉の電磁波シールド材から形成されることを特徴とする。【０００９】  また、請求項３の考案は、前記電磁波シールド材が、カーボンファイバ，アルミ材，電磁波防止繊維素材からなることを特徴とする。【００１０】  また、請求項４の考案は、前記電磁波シールド材が樹脂材内に封止されたものからなることを特徴とする。【００１１】  また、請求項５の考案は、前記カーボンファイバがスタンバブルシートからなることを特徴とする。【００１２】  また、請求項６の考案は、前記袋体及び板体が、人間が着用する服やシャツ等のポケットに挿入可能の大きさのものからなることを特徴とする。
【考案の効果】
【００１３】  本考案の請求項１によれば、衣服や帽子に電磁波シールド材を縫着や貼着することにより電磁波による人体への悪影響は遮断される。【００１４】  また、本考案の請求項２によれば、電磁波シールド材を用いて袋体を形成し、その中に携帯電話等を入れることにより、携帯電話への通信が遮断されてこれ等からの音の発生が防止されると共に人体への電磁波への悪影響も防止される。また、板体を用いることにより携帯電話への着信は行われるが電磁波の人体への悪影響は防止される。【００１５】  また、本考案の請求項３によれば、電磁波シールド材としては各種のものが適用され、その利用範囲は広い。【００１６】  また、本考案の請求項４によれば、電磁波シールド材を樹脂材内に封止することにより、電磁波の人体への悪影響が更に十分に遮断される可能性が大となる。【００１７】  また、本考案の請求項５によれば、カーボンファイバとしてスタンバブルシートが使用されるためその形態が明確となり、処理の安定性の向上が図られる。【００１８】  また、本考案の請求項６によれば、袋体や板体をポケットに挿入することが出来るため、簡便に使用が出来、持ち運び性の向上が図られ、その使用率の向上が図られる。
【図面の簡単な説明】
【００１９】
【図１】本考案の袋体の形状（ａ）とその断面図（ｂ）及び使用方法の一例を示す模式的断面図（ｃ）。
【図２】本考案の板体の形状（ａ）とその断面図（ｂ）及び使用方法の一例を示す模式的断面図（ｃ）。
【図３】本考案の電磁波シールド材を縫着したシャツを示す模式的正面図。
【図４】本考案の電磁波シールド材を貼着した帽子を示す模式的断面図。
【考案を実施するための形態】
【００２０】  以下、本考案の電磁波シールド材を用いた衣服，帽子，袋体，板体の実施の形態を図面を参照して詳述する。但し、以下の説明では電磁波シールド材としてカーボンファイバを用いた実施例についてのみ記載するが、勿論使用される電磁波シールド材は以下の内容に限定するものではない。また、下記の実施例では安全のため電磁波シールド材としてのカーボンファイバを樹脂材内に封止したものについて記載しているが電磁波シールド材としてはそのまま使用可能のものもあり、下記の内容に限定するものではない。
【実施例１】
【００２１】  本考案の電磁波シールド材を用いた袋体１００は図１（ａ），（ｂ）に示す如きものからなる。即ち、スタンバブルシートの如き薄厚のシート状のカーボンファイバ１を樹脂材２内に封止込みこれを袋体状に形成したものからなる。この前記袋体は上方側に開閉可能の挿入口３を設けたものからなる。図示では挿入口３の開閉手段は省略してあるが、例えば、接着テープや開閉チャックの如きものでもよい。
携帯電話４等はこの電磁波シールド材を用いた袋体１００の挿入口３から内部に挿入されることになる。【００２２】  図１（ｃ）に示すように、服やシャツ等に形成されているポケット５内にこの電磁波シールド材を用いた袋体１００を入れ携帯電話４等を電磁波シールド材を用いた袋体１００に挿入することにより、外部からの携帯電話等に対する着信は遮断され外部への騒音が発生しない。また、人体側６への電磁波の影響も遮断される。
【実施例２】
【００２３】  図２（ａ），（ｂ）は本考案の電磁波シールド材を用いた板体２００を示すものである。このものはスタンバブルシートの如き薄厚のカーボンファイバ１を樹脂材２内に封止して板体を形成したものからなる。図２（ｃ）はこれをポケット５等に挿入した状態を示すものであり、電磁波シールド材を用いた板体２００は人体側６側に挿入され携帯電話４等は電磁波シールド材を用いた袋体１００の前側に挿入される。これにより外部からの携帯電話４等への着信は可能になるが人体側６への電磁波の進入は遮断される。
【実施例３】
【００２４】  図３に示すように、シャツ３００には電磁波シールド材の１つであるカーボンファイバ１が縫着されている。この場合、カーボンファイバ１をそのまま縫着することは難しい面もあり、人体への悪影響も考えられるためカーボンファイバ１を樹脂材２内に封止したものを縫着することが望ましい。
このシャツ３００を着用することにより、電磁波による人体側への悪影響が防止される。なお、この実施例３ではシャツ３００を使用したが、それ以外の衣服のいずれかのものでも適用される。
【実施例４】
【００２５】  本実施例は帽子４００にカーボンファイバ１を貼着したものであるが、カーボンファイバ１は樹脂材２に封止されたものを貼着することが望ましい。
この帽子４００をかぶることにより、人体の頭部への電磁波を遮断出来、安全性の向上が図られる。なお、帽子４００についてはいかなる形状のものでも適用される。【００２６】  本考案は、以上の内容のものからなるが、この内容に限定するものではなく、人体に関連する全ての物に適用可能である。また、同一技術的範疇のものに適用されることは勿論である。
【産業上の利用可能性】
【００２７】  本考案は電磁波による悪影響を防止するために人体に着用する必要のある全てのものに適用可能であり、また、携帯電話等への着音の被害を無くす必要のため、全ての場所に適用可能であり、その利用範囲は極めて広い。
【符号の説明】
【００２８】１      カーボンファイバ
２      樹脂材
３      挿入口
４      携帯電話
５      ポケット
６      人体側
１００  電磁波シールド材を用いた袋体
２００  電磁波シールド材を用いた板体
３００  シャツ
４００  帽子
【図１】
0003189626.tif 000003
【図２】
0003189626.tif 000004
【図３】
0003189626.tif 000005
【図４】
0003189626.tif 000006
【手続補正書】
【提出日】平成25年9月17日(2013.9.17)
【手続補正１】
【補正対象書類名】実用新案登録請求の範囲
【補正対象項目名】全文
【補正方法】変更
【補正の内容】
【実用新案登録請求の範囲】
【請求項１】
別体の薄肉の電磁波シールド材を一部分や全体に縫着又は貼着してなることを特徴とする電磁波シールド材付衣服。
【請求項２】
別体の薄肉の電磁波シールド材を一部分や全体に縫着又は貼着してなることを特徴とする電磁波シールド材付帽子。
【請求項３】
薄肉の電磁波シールド材からなることを特徴とする袋体。
【請求項４】
薄肉の電磁波シールド材からなることを特徴とする板体。
【請求項５】
前記電磁波シールド材が、カーボンファイバ，アルミ材，電磁波防止繊維素材のいずれか一以上のものからなることを特徴とする請求項１乃至４のいずれか一項に記載の衣服，帽子，袋体，板体。
【請求項６】
前記電磁波シールド材が、樹脂材内に封止されたものからなることを特徴とする請求項１乃至４のいずれか一項に記載の衣服，帽子，袋体，板体。
【請求項７】
前記カーボンファイバが、スタンバブルシートからなることを特徴とする請求項５に記載の衣服，帽子，袋体，板体。
【請求項８】
前記袋体又は板体が、人間が着用する服やシャツ等のポケットに挿入可能の大きさからなることを特徴とする請求項３又は４のいずれかのものからなることを特徴とする袋体，板体。
【手続補正２】
【補正対象書類名】明細書
【補正対象項目名】全文
【補正方法】変更
【補正の内容】
【考案の詳細な説明】
【技術分野】
【０００１】  本考案は、薄肉の電磁波シールド材又はこれを樹脂材内に封止してなる材料を縫着又は貼着又は所望の形に作製してなる衣服又は帽子又は袋体及び板体に関する。
【背景技術】
【０００２】  電磁波シールド材としては各種のものがあるが、例えば、カーボンファイバは電磁波を遮断する機能を有するものとして知られている。カーボンファイバは人体に対しては長期使用において有害な性質を有するものであり、そのままの状態で使用することは危険であり樹脂材等により封止込めることが必要である。然し乍ら、従来ではこの形態のものでも人体に対する用具としては余り普及されていなかったことは事実であり、飛行機，車両，船舶やゴルフ用具や軍関係の器具等に主としして使用されていた。
一方、後に記載の本考案の如きものについては先行技術を調査したが見当らず、関連する公知技術としては「特許文献１」や「特許文献２」の如きものが挙げられる。
【先行技術文献】
【特許文献】
【０００３】
【特許文献１】実用新案登録第３１３０７１９号（図１）
【特許文献２】特開２０００−１２６４３４号（図１）
【考案の概要】
【考案が解決しようとする課題】
【０００４】  現在、携帯電話や（公序良俗違反につき、不掲載）等が数多くの人達によって使用されている。これ等の器具からは電磁波が発信されているがこれを有効に遮断する身近な器具は開発及び開示されていない。電磁波が人体等に対して悪影響を及ぼすことは明白なものであり、前記のように人体に対してカーボンファイバは悪影響を与える恐れがあるためにカーボンファイバを用いた電磁波遮断可能な人体等に対応する器具については存在していない。【０００５】  然し乍ら、老人や子供のいる場所や騒音発生を嫌う場所、例えば、病院，介護施設，幼稚園や音楽堂，芝居小屋等の見物場や静粛を必要とする会場等において携帯電話等への着信音は極めて問題がある。そのため、前記の場所では携帯電話等の電源を遮断することが求められているが実行者が少ない場合も多い。そこでこれ等の場所において一時的に携帯電話等への着信音を遮断する器具が必要であると共に長期間の使用ではなく、一時的に電磁波による人体への影響を低減し、かつ着信を可能とするような器具があれば望ましいものと思考される。
また、携帯電話等からの着音による騒音被害を別としても前記のようにこれ等からの電磁波の発信を人体側に対して遮断する手段は少なくとも人体の健康保護のために必要であるが適切のものは存在していない。【０００６】  本考案は、前記の事情に鑑みて考案されたものであり、一時的に携帯電話等への送信を遮断してこれ等からの音の発生も防止すると共に、携帯電話等への着信は可能にするが人体への電磁波の影響を低減するようにした簡便な電磁波シールド材を用いた衣服，帽子，袋体，板体を提供することを目的とする。
【課題を解決するための手段】
【０００７】  本考案は、以上の目的を達成するために、請求項１の考案は、電磁波シールド材付衣服が、別体の薄肉の電磁波シールド材を一部分や全体に縫着又は貼着してなることを特徴とする。【０００８】  また、請求項２の考案は、電磁波シールド材付帽子が、別体の薄肉の電磁波シールド材を一部分や全体に縫着又は貼着してなることを特徴とする。【０００９】  また、請求項３の考案は、袋体が、薄肉の電磁波シールド材からなることを特徴とする。【００１０】  また、請求項４の考案は、板体が、薄肉の電磁波シールド材からなることを特徴とする。【００１１】  また、請求項５の考案は、前記電磁波シールド材が、カーボンファイバ，アルミ材，電磁波防止繊維素材のいずれか一以上のものからなることを特徴とする。【００１２】  また、請求項６の考案は、前記電磁波シールド材が、樹脂材内に封止されたものからなることを特徴とする。【００１３】  また、請求項７の考案は、前記カーボンファイバが、スタンバブルシートからなることを特徴とする。【００１４】  また、請求項８の考案は、前記袋体又は板体が、人間が着用する服やシャツ等のポケットに挿入可能の大きさからなることを特徴とする。
【考案の効果】
【００１５】  本考案の請求項１によれば、衣服が、電磁波シールド材を縫着や貼着することにより電磁波による人体への悪影響は遮断することが出来る。【００１６】  また、本考案の請求項２によれば、帽子が、電磁波シールド材を縫着や貼着することにより電磁波による人体への悪影響は遮断することが出来る。【００１７】  また、本考案の請求項３によれば、電磁波シールド材を用いた袋体内に携帯電話等を入れることにより、携帯電話への通信が遮断されてこれ等からの音の発生が防止されると共に人体への電磁波による悪影響が防止される。【００１８】  また、本考案の請求項４によれば、電磁波シールド材を用いた板体をポケットに挿入することによりポケット内に入れた携帯電話等からの電磁波が遮断され人体への電磁波による悪影響が防止される。【００１９】  また、本考案の請求項５によれば、電磁波シールド材として各種のものが適用され使用範囲の増大が図れる。【００２０】  また、本考案の請求項６によれば、電磁波シールド材を樹脂材内に封止することにより電磁波の人体への悪影響が更に十分に防止することが出来る。される。【００２１】  また、本考案の請求項７によれば、カーボンファイバとしてスタンバブルシートが使用されるためその形態が明確になり、処理の安全性の向上が図られる。【００２２】  また、本考案の請求項８によれば、電磁波シールド材からなる袋体や板体がポケット内に挿入することが出来る小型のものからなり、持ち運び性の向上が図られ、その使用率の向上が図られる。
【図面の簡単な説明】
【００２３】
【図１】本考案の袋体の形状（ａ）とその断面図（ｂ）及び使用方法の一例を示す模式的断面図（ｃ）。
【図２】本考案の板体の形状（ａ）とその断面図（ｂ）及び使用方法の一例を示す模式的断面図（ｃ）。
【図３】本考案の電磁波シールド材を縫着したシャツを示す模式的正面図。
【図４】本考案の電磁波シールド材を貼着した帽子を示す模式的断面図。
【考案を実施するための形態】
【００２４】  以下、本考案の電磁波シールド材を用いた衣服，帽子，袋体，板体の実施の形態を図面を参照して詳述する。但し、以下の説明では電磁波シールド材としてカーボンファイバを用いた実施例についてのみ記載するが、勿論使用される電磁波シールド材は以下の内容に限定するものではない。また、下記の実施例では安全のため電磁波シールド材としてのカーボンファイバを樹脂材内に封止したものについて記載しているが電磁波シールド材としてはそのまま使用可能のものもあり、下記の内容に限定するものではない。
【実施例１】
【００２５】  本考案の電磁波シールド材を用いた袋体１００は図１（ａ），（ｂ）に示す如きものからなる。即ち、スタンバブルシートの如き薄厚のシート状のカーボンファイバ１を樹脂材２内に封止込みこれを袋体状に形成したものからなる。この前記袋体は上方側に開閉可能の挿入口３を設けたものからなる。図示では挿入口３の開閉手段は省略してあるが、例えば、接着テープや開閉チャックの如きものでもよい。
携帯電話４等はこの電磁波シールド材を用いた袋体１００の挿入口３から内部に挿入されることになる。【００２６】  図１（ｃ）に示すように、服やシャツ等に形成されているポケット５内にこの電磁波シールド材を用いた袋体１００を入れ携帯電話４等を電磁波シールド材を用いた袋体１００に挿入することにより、外部からの携帯電話等に対する着信は遮断され外部への騒音が発生しない。また、人体側６への電磁波の影響も遮断される。
【実施例２】
【００２７】  図２（ａ），（ｂ）は本考案の電磁波シールド材を用いた板体２００を示すものである。このものはスタンバブルシートの如き薄厚のカーボンファイバ１を樹脂材２内に封止して板体を形成したものからなる。図２（ｃ）はこれをポケット５等に挿入した状態を示すものであり、電磁波シールド材を用いた板体２００は人体側６側に挿入され携帯電話４等は電磁波シールド材を用いた袋体１００の前側に挿入される。これにより外部からの携帯電話４等への着信は可能になるが人体側６への電磁波の進入は遮断される。
【実施例３】
【００２８】  図３に示すように、シャツ３００には電磁波シールド材の１つであるカーンファイバ１を樹脂材２内に封止したものを縫着することが望ましい。
このシャツ３００を着用することにより、電磁波による人体側への悪影響が防止される。なお、この実施例３ではシャツ３００を使用したが、それ以外の衣服のいずれかのものでも適用される。
【実施例４】
【００２９】  本実施例は帽子４００にカーボンファイバ１を貼着したものであるが、カーボンファイバ１は樹脂材２に封止されたものを貼着することが望ましい。
この帽子４００をかぶることにより、人体の頭部への電磁波を遮断出来、安全性の向上が図られる。なお、帽子４００についてはいかなる形状のものでも適用される。【００３０】  本考案は、以上の内容のものからなるが、この内容に限定するものではなく、人体に関連する全ての物に適用可能である。また、同一技術的範疇のものに適用されることは勿論である。
【産業上の利用可能性】
【００３１】  本考案は電磁波による悪影響を防止するために人体に着用する必要のある全てのものに適用可能であり、また、携帯電話等への着音の被害を無くす必要のため、全ての場所に適用可能であり、その利用範囲は極めて広い。
【符号の説明】
【００３２】  １      カーボンファイバ
２      樹脂材
３      挿入口
４      携帯電話
５      ポケット
６      人体側
１００  電磁波シールド材を用いた袋体
２００  電磁波シールド材を用いた板体
３００  シャツ
４００  帽子
【手続補正書】
【提出日】平成26年1月10日(2014.1.10)
【手続補正１】
【補正対象書類名】明細書
【補正対象項目名】０００４
【補正方法】変更
【補正の内容】
【０００４】  現在、携帯電話やタブレットＰＣ等が数多くの人達によって使用されている。これ等の器具からは電磁波が発信されているがこれを有効に遮断する身近な器具は開発及び開示されていない。電磁波が人体等に対して悪影響を及ぼすことは明白なものであり、前記のように人体に対してカーボンファイバは悪影響を与える恐れがあるためにカーボンファイバを用いた電磁波遮断可能な人体等に対応する器具については存在していない。